(57)【要約】【課題】ゴム製台座に代えて樹脂製台座を採用することにより、従来と同様に設置作業性に優れながら機械的強度も向上し、アジャスターボルトが長くても堅固に自立でき、ＯＡ用フロアにも適用可能な床下地用支持脚及びこれに用いられる台座を提供する。【解決手段】アジャスターボルトには、その軸部１８の下端部にフランジ部が形成され、台座１０は、合成樹脂からなる台座本体３５と該台座本体３５に取り付けられるキャップ部材４０とからなり、台座本体３５には、アジャスターボルトのフランジ部を係合して軸部１８を垂直に保持する凹部３０が形成され、凹部３０に、フランジ部及び軸部を水平方向にスライド自在とする溝部が形成され、溝部に、凹部３０内に係合したフランジ部及び軸部１８のスライドを拘束して凹部３０内に保持するキャップ部材４０が着脱自在に設けられている。【選択図】      図２
2015175218.tif 000002
【特許請求の範囲】
【請求項１】
基礎床上に床パネルを支持する床下地用支持脚であって、前記基礎床上に配置される台座と、前記台座に垂直に支持されるアジャスターボルトと、前記床パネルを載置するとともに前記アジャスターボルトに係合する雌ねじ部を有して前記アジャスターボルトの回転動作に伴い上下移動することにより前記床パネルの高さを調節可能な支持プレートとを備え、前記アジャスターボルトには、その軸部の下端部にフランジ部が形成され、前記台座は、合成樹脂からなり、前記アジャスターボルトの前記フランジ部を係合して前記軸部を軸方向の移動を拘束した状態で垂直に保持する凹部が形成され、前記凹部に、前記フランジ部及び前記軸部を水平方向にスライド自在とする溝部が形成され、前記溝部に、前記凹部内に係合した前記フランジ部及び前記軸部のスライドを拘束して前記凹部内に保持するスライド拘束手段が設けられていることを特徴とする床下地用支持脚。
【請求項２】
前記台座は、前記溝部を有する台座本体と、該台座本体に着脱自在に取り付けられるキャップ部材とからなり、前記スライド拘束手段は、前記アジャスターボルトのフランジ部が前記溝部に沿ってスライドして前記凹部内に収容されたときに前記キャップ部材が前記溝部に取り付けられて前記フランジ部を押さえる構成であることを特徴とする請求項１記載の床下地用支持脚。
【請求項３】
前記台座には、弾性変形可能な爪部が前記溝部に沿って設けられており、前記スライド拘束手段は、前記アジャスターボルトのフランジ部が前記溝部に沿ってスライドして前記凹部内に収容されたときに前記フランジ部の後端に前記爪部が係止する構成であることを特徴とする請求項１記載の床下地用支持脚。
【請求項４】
前記台座の下面に弾性材料からなるシート部材が設けられていることを特徴とする請求項１から３のいずれか一項記載の床下地用支持脚。
【請求項５】
前記台座の下面側の周囲の少なくとも一部又は全部に垂れ壁が垂直に設けられ、この垂れ壁に囲まれる内側空間に、前記シート部材が設けられていることを特徴とする請求項４記載の床下地用支持脚。
【請求項６】
前記シート部材はタイプＡのデュロメーター硬度が６５度未満であることを特徴とする請求項４又は５記載の床下地用支持脚。
【請求項７】
前記台座本体と前記キャップ部材との少なくともいずれか一方には、前記キャップ部材を前記台座本体に装着したときに、前記台座本体と前記キャップ部材との間に工具を挿入可能な隙間を形成するための溝が設けられていることを特徴とする請求項２記載の床下地用支持脚。
【請求項８】
基礎床上に配置され、床下地用支持脚のアジャスターボルトの下端部を保持するものであって、合成樹脂からなり、前記アジャスターボルトの軸部の下端部に形成されたフランジ部を係合して前記軸部を軸方向の移動を拘束した状態で垂直に保持する凹部が形成され、前記凹部に、前記フランジ部及び前記軸部を水平方向にスライド自在とする溝部が形成され、前記溝部に、前記凹部内に係合した前記フランジ部及び前記軸部のスライドを拘束して前記凹部内に保持するスライド拘束手段が設けられていることを特徴とする支持脚用台座。
【請求項９】
前記台座は、前記溝部を有する台座本体と、該台座本体に着脱自在に取り付けられるキャップ部材とからなり、前記スライド拘束手段は、前記アジャスターボルトのフランジ部が前記溝部に沿ってスライドして前記凹部内に収容されたときに前記キャップ部材が前記溝部に取り付けられて前記フランジ部を押さえる構成であることを特徴とする請求項８記載の支持脚用台座。
【請求項１０】
前記台座には、弾性変形可能な爪部が前記溝部に沿って設けられており、前記スライド拘束手段は、前記アジャスターボルトのフランジ部が前記溝部に沿ってスライドして前記凹部内に収容されたときに前記フランジ部の後端に前記爪部が係止する構成であることを特徴とする請求項８記載の支持脚用台座。
【請求項１１】
前記台座の下面に弾性材料からなるシート部材が設けれていることを特徴とする請求項８から１０のいずれか一項記載の支持脚用台座。
【請求項１２】
前記台座の下面側の周囲の少なくとも一部又は全部に垂れ壁が垂直に設けられ、この垂れ壁に囲まれる内側空間に、弾性材料からなるシート部材が設けられていることを特徴とする請求項１１記載の支持脚用台座。
【請求項１３】
前記シート部材はタイプＡのデュロメーター硬度が６５度未満であることを特徴とする請求項１０又は１１記載の支持脚用台座。
【請求項１４】
前記台座本体と前記キャップ部材との少なくともいずれか一方には、前記キャップ部材を前記台座本体に装着したときに、前記台座本体と前記キャップ部材との間に工具を挿入可能な隙間を形成するための溝が設けられていることを特徴とする請求項９記載の支持脚用台座。
【発明の詳細な説明】
【技術分野】
【０００１】
本発明は、コンクリートスラブ等の基礎床上に形成される二重床構造の施工において使用される床下地用支持脚及びこれに用いられる台座に関する。
【背景技術】
【０００２】
近年、集合住宅やオフィスビルなどの多くの建造物に二重床構造（乾式遮音二重床、オフィスフロア等）が採用されてきており、コンクリートスラブ等の基礎床と床パネルとの間に空間部を形成して、遮音性を高めるとともに、その空間部に設備配管や配線等を設けることができるようになっている。
【０００３】
この種の二重床として、例えば、特許文献１や特許文献２に記載の支持脚を利用した構造のものが知られている。これらの二重床は、基礎床上に支持脚を並べて、その上に床パネルを配置することにより、これら基礎床と床パネルとの間に空間部を形成したものである。支持脚は、台座にアジャスターボルトが垂直に立設され、このアジャスターボルトの上端部に四角形小片状の床パネル受けが螺合した構造とされる。
【０００４】
このような二重床構造においては、空間部によって床パネルと基礎床とを離間させることにより遮音性を確保するとともに、床パネルを支持する支持脚の台座に防振ゴム等の弾性部材からなる台座を使用し、床面上に物体を落下させた場合にも、その落下衝撃を減衰させて基礎床上に伝達し難くしており、遮音性や衝撃緩和性能を高めている。この種の二重床構造は、施工の簡便さとコスト面から多くの多層階建造物で利用される。
【先行技術文献】
【特許文献】
【０００５】
【特許文献１】特開２００１−２７０３６号公報
【特許文献２】特開２００９−１６７６１１号公報
【発明の概要】
【発明が解決しようとする課題】
【０００６】
ところで、この種の支持脚には二通りある。
ひとつは、床パネル受け、アジャスターボルト、コンクリートスラブ基礎床に接する台座が、それぞれ分離しており、床パネル受けとアジャスターボルトは螺子により螺合した構造で、アジャスターボルトとコンクリートパネルに接する台座は、空回りをする構造になっている。この構造の支持脚の台座は一般的に弾性体であり、アジャスターボルト下端のフランジ部を嵌合するための凹部を容易に成型できるゴムが使用されている。
【０００７】
この支持脚の優位点は、アジャスターボルト上端に形成された溝にドライバーを挿入してアジャスターボルトだけを回転することで、床パネルに固定された床パネル受けとコンクリートパネルに接する台座、または接着固定された台座の距離を上下させることが可能である。床高さ調整後には、床パネル受けの上部からアジャスターボルトに接着剤を塗布することで、緩みを止めることができる。一方で台座を空回りさせるために台座の材質は弾性体である必要があり、弾性体なので緩み止め固定の接着を行わなくても、ガタつきによる異音の発生の心配がない。しかし、耐荷重性能に限界があり、材質が弾性体であることから床パネル方向への引き抜く力や、長いアジャスターボルトが左右に振れた際の抑える力に対しては効力が弱かった。この支持脚は台座を弾性体にする構造から遮音性の伴う乾式遮音二重床に多用されている。弾性体に格納されたフランジ部は回転させる関係上、直径が１５〜２０ｍｍ程度と小さいため、耐荷重性能を保つためにゴム硬度や発泡率を高く設定せざるを得ず、一般的にタイプＡのデュロメーター硬度で６５度以上に設定されている。また、弾性体が高い硬度で遮音性能を保つために弾性体の厚みを厚く設定せざるを得ず、床高さを低くできない欠点があった。
【０００８】
もうひとつは、アジャスターボルトとコンクリートスラブ基礎床に接する台座が一体化されており、床パネル受けとアジャスターボルトは螺子により螺合した構造である。コンクリートスラブ基礎床に接する台座を金属で形成してアジャスターボルトと溶接した構造としている。
【０００９】
この支持脚は、台座を金属で形成していることで耐荷重性能に優れている。また、アジャスターボルトが溶接された台座は、正方形、または円形で縦横７０ｍｍ〜１００ｍｍ程度あり、コンクリートスラブへ接着固定されることで床パネル方向へ引き抜く力や、長いアジャスターボルトが左右に振られた際の抑える力に対して強い構造になっている一方で、遮音性能がないため、床パネル上に、カーペットタイルなどの弾性を持つ仕上材によって遮音性を補完するＯＡフロアや、遮音性を必要としない戸建住宅の1Fの床の束として多用されている。この支持脚の床高さ調整方法は、その構造からアジャスターボルトと一体化された台座がコンクリートスラブに接着されるため、床パネル受けを回転させて上下させる必要があり、床パネルを床パネル受けに固定する前に、床高さの調整を完了する必要がある。また、調整後の緩み止めは、支持脚側面からアジャスターボルトに予め螺合しておいたナットをスパナなどを用いて、床パネル受けに嵌合されたナットに締め付けることで緩み止めを行う必要があり、また、床パネルの固定が、すべての支持脚の床高さの調整後の作業となるなど、作業性が劣る欠点がある。
【００１０】
本発明は、このような事情に鑑みてなされたもので、ゴム製台座に代えて樹脂製台座を採用することにより、従来と同様に設置作業性に優れながら機械的強度も向上し、アジャスターボルトが長くても左右の振れを抑制して堅固に自立でき、ＯＡ用フロアにも適用可能な床下地用支持脚及びこれに用いられる台座を提供することを目的とする。
【課題を解決するための手段】
【００１１】
上記目的を達成するために、本発明は、基礎床上に床パネルを支持する床下地用支持脚であって、前記基礎床上に配置される台座と、前記台座に垂直に支持されるアジャスターボルトと、前記床パネルを載置するとともに前記アジャスターボルトに係合する雌ねじ部を有して前記アジャスターボルトの回転動作に伴い上下移動することにより前記床パネルの高さを調節可能な支持プレートとを備え、前記アジャスターボルトには、その軸部の下端部にフランジ部が形成され、前記台座は、合成樹脂からなり、前記アジャスターボルトの前記フランジ部を係合して前記軸部を軸方向の移動を拘束した状態で垂直に保持する凹部が形成され、前記凹部に、前記フランジ部及び前記軸部を水平方向にスライド自在とする溝部が形成され、前記溝部に、前記凹部内に係合した前記フランジ部及び前記軸部のスライドを拘束して前記凹部内に保持するスライド拘束手段が設けられていることを特徴とする。
【００１２】
この発明の床下地用支持脚において、台座の凹部に形成された溝部からアジャスターボルトのフランジ部及び軸部を水平方向にスライドさせて装着し、スライド拘束手段により軸部のスライドを拘束した状態とすることにより、台座に対してアジャスターボルトを容易に取り付けることができる。したがって、この台座は合成樹脂製により作製されているので、ゴムと異なり、硬質で変形しにくいが、アジャスターボルトの取り付け作業は容易である。また、この台座は、合成樹脂により機械的強度が高く、耐荷重性を高めることができ、長いアジャスターボルトに対しては広い面積の台座を適用することにより、ボルト上端の左右へのブレを抑制して堅固に支持することができる。
【００１３】
なお、二重床構造の施工時には、従来のゴム製台座の支持脚と同様、ボルト頭部の溝にドライバー工具を差し込み、アジャスターボルトを回転させることにより雌ねじ部を介して支持プレートを上下移動させることで床パネルを高さ調整できるため、作業現場での高さ位置調整が容易である。これは、アジャスターボルトを金属製台座に溶接した既存のＯＡフロア用の支持脚では不可能な機能である。
【００１４】
本発明の床下地用支持脚において、前記台座は、前記溝部を有する台座本体と、該台座本体に着脱自在に取り付けられるキャップ部材とからなり、前記スライド拘束手段は、前記アジャスターボルトのフランジ部が前記溝部に沿ってスライドして前記凹部内に収容されたときに前記キャップ部材が前記溝部に取り付けられて前記フランジ部を押さえる構成とすることができる。
また、本発明の床下地用支持脚において、前記台座には、弾性変形可能な爪部が前記溝部に沿って設けられており、前記スライド拘束手段は、前記アジャスターボルトのフランジ部が前記溝部に沿ってスライドして前記凹部内に収容されたときに前記フランジ部の後端に前記爪部が係止する構成としてもよい。
【００１５】
また、優れた遮音性、衝撃吸収性を目的として、前記台座の下面に弾性材料からなるシート部材が設けれている構成としてもよい。
その場合、前記台座の下面側の周囲の少なくとも一部又は全部に垂れ壁が垂直に設けられ、この垂れ壁に囲まれる内側空間に、前記シート部材が設けられている構成としてもよい。
これによると、シート部材が有する弾性により衝撃を緩和させ、遮音性も高めることができる。そして、垂れ壁を設けた構成の場合は、このシート部材が垂れ壁に囲まれる内側空間に設けられていることで、その位置が規制されてずれや剥がれが防止される。
また、このシート部材は、台座の面積が広いため、弾性体への加圧面積が広く、タイプＡのデュロメーター硬度を６５度未満とすることができる。
【００１６】
キャップ部材によってスライド拘束手段を構成する発明の場合、前記台座本体と前記キャップ部材との少なくともいずれか一方には、前記キャップ部材を前記台座本体に装着したときに、前記台座本体と前記キャップ部材との間に工具を挿入可能な隙間を形成するための溝が設けられているとよい。
この溝により形成される隙間にマイナスドライバー等の工具の先端を挿入し、この工具によりキャップ部材に上向きの力を加えることで、キャップ部材に上方側から引き抜き力を加えることなくキャップ部材を台座から容易に取り外すことができ、アジャスターボルト取り付け時の作業性が向上する。
【００１７】
また、このような支持脚に用いられる台座は、基礎床上に配置され、床下地用支持脚のアジャスターボルトの下端部を保持するものであって、合成樹脂からなり、前記アジャスターボルトの軸部の下端部に形成されたフランジ部を係合して前記軸部を垂直に保持する凹部が形成され、前記凹部に、前記フランジ部及び前記軸部を水平方向にスライド自在とする溝部が形成され、前記溝部に、前記凹部内に係合した前記フランジ部及び前記軸部のスライドを拘束して前記凹部内に保持するスライド拘束手段が設けられていることを特徴とする。
【００１８】
この発明の台座によると、既製のアジャスターボルトや支持プレートを利用しながら、これらに台座本体とキャップ部材とを組み合わせて床下地用支持脚を設けることができる。
この台座の場合にも、前記台座の下面に弾性材料からなるシート部材が設けれている構成としてもよく、その場合に、前記台座の下面側の周囲の少なくとも一部又は全部に垂れ壁が垂直に設けられ、この垂れ壁に囲まれる内側空間に、前記シート部材が設けられている構成としてもよい。前述したように、このシート部材は、タイプＡのデュロメーター硬度を６５度未満とすることができる。
【００１９】
また、キャップ部材によってスライド拘束手段を構成する台座の場合、前記と同様に、前記台座本体と前記キャップ部材との少なくともいずれか一方には、前記キャップ部材を前記台座本体に装着したときに、前記台座本体と前記キャップ部材との間に工具を挿入可能な隙間を形成するための溝が設けられている構成としてもよい。
【発明の効果】
【００２０】
本発明によれば、台座と、アジャスターボルトと、支持プレートとを備え、台座は、合成樹脂からなり、台座本体の凹部に形成された溝部にアジャスターボルトのスライドを拘束して凹部内に保持するスライド拘束手段が設けられているので、硬質の合成樹脂であってもアジャスターボルトを容易に組み込むことができるとともに、機械的強度が高く、耐荷重性を高めることができる。また、長いアジャスターボルトも広い面積の台座で堅固に支持することができ、適用範囲を広くすることができる。
【図面の簡単な説明】
【００２１】
【図１】本発明の第１実施形態の床下地用支持脚及び台座を用いて構築した二重床構造の一部を示す断面図である。
【図２】図１における台座の付近を拡大した斜視図である。
【図３】図２の台座の平面図である。
【図４】図３のＡ−Ａ線に沿う断面図である。
【図５】図２の台座に用いられている台座本体の斜視図である。
【図６】図５の台座本体の平面図である。
【図７】図６のＢ−Ｂ線に沿う断面図である。
【図８】図２の台座に用いられているキャップ部材を示し、（ａ）が平面図、（ｂ）が正面図、（ｃ）が（ａ）のＣ−Ｃ線に沿う断面図である。
【図９】図１よりも長いアジャスターボルトを用いた例を示す断面図である。
【図１０】本発明の第２実施形態の台座を示す平面図である。
【図１１】図１０のＤ−Ｄ線に沿う断面図である。
【図１２】図１０のＥ−Ｅ線に沿う断面図である。
【図１３】図１０のＦ−Ｆ線に沿う断面図である。
【図１４】図１０の台座にアジャスターボルトをスライドしながら収容する状態を順に示す図１１同様の断面図である。
【図１５】台座本体の変形例を分解して示す断面図である。
【図１６】台座本体のさらに他の変形例を示す下面からの斜視図である。
【図１７】シート部材の他の例を示す断面図である。
【図１８】台座本体のさらなる他の変形例を示す断面図である。
【発明を実施するための形態】
【００２２】
以下、本発明の床下地用支持脚及び台座の実施形態を図面を参照しながら説明する。
本発明の実施形態は、従来技術で前述したふたつの構造の支持脚の相反する利点と欠点を両立させるべく、台座を加圧方向にも引き抜き方向にも強い、適度な硬さと柔軟性を兼ね備える樹脂製による空回り構造にすることで、床パネル施工後においても、アジャスターボルト上端に設けられた溝をドライバーや六角レンチにより回転させることで、床高さの調整を可能としたものであり、硬い樹脂素材でありながら、アジャスターボルト下端に設けられたフランジ部を樹脂で形成された台座内に格納できるよう、台座側方からのスライド格納方式とし、なおかつ、スライド上部の天板部の圧力により、アジャスターボルトの空回りと、アジャスターボルトを接着固定しなくても、金属部材同士では解決しないガタつき音の発生がしない構造としている。
【００２３】
樹脂台座の格納部分にてアジャスターボルトのフランジ部を台座側方からスライドさせて中央部に据える空回り可能な台座は、スライド部２方向以上の天板部相当部がフランジを抑え、台座底面をコンクリートスラブへ接着した際の（ゴム製台座では不可能な）アジャスターボルトの床パネル方向（軸方向）への引き抜き強度や、長いアジャスターボルトの左右への振れを抑制することが可能となり、剛性のある台座底面の面積が広いことにより、アジャスターボルト下端のフランジ部の直径の限界から発生する、遮音性向上のための弾性体の硬度や厚みの限界を超えることを可能にした。
以下、いくつかの実施形態について詳細に説明する。
【００２４】
まず、本発明の第１実施形態を説明する。
図１に全体構造を示したように、コンクリートスラブからなる基礎床１上に、床パネル２を支持する防振アジャスターである床下地用支持脚（以下、単に支持脚という）３が、縦横に一定の間隔をおいて複数並べられるように立設され、この支持脚３の上に床パネル２が配置されることにより、基礎床１と床パネル２との間に空間部４が構成された二重床構造が構築される。この二重床構造は、例えば、集合住宅向け乾式遮音二重床用として施工される。
【００２５】
床パネル２は、下地パネル２ａと、その上に配置される表面床材である仕上げパネル２ｂとから構成されている。下地パネル２ａは、廃材などから得られる木片チップを接着剤で固めたパーティクルボードからなっている。仕上げパネル２ｂは、下地パネル２ａを下地材として配置されるものである。
【００２６】
上記の二重床構造において、本発明の支持脚３には、基礎床１上に配置される台座１０と、この台座１０に垂直に支持されるアジャスターボルト１１と、床パネル２が載置される支持プレート１２とが備えられている。
【００２７】
支持プレート１２は、中央に貫通孔１３が形成された平面視正方形のパネルブロック１４と、貫通孔１３に一体的に固定され、アジャスターボルト１１に螺合可能な雌ねじ部材１５とを有し、パネルブロック１４の上面には床パネル２固定用の図示しない粘着テープが設けられている。雌ねじ部材１５は、その長さ方向の中央部にフランジ状の環状突部１６が形成されるとともに、内周面にアジャスターボルト１１に係合する雌ねじ部１７が形成され、環状突部１６がパネルブロック１４の下面側に露出した状態で一体的に固定されている。
【００２８】
アジャスターボルト１１は、この種の二重床構造で通常使用される一般的な金属製ボルトであればよく、各種の長さや種類に設けられる。アジャスターボルト１１の軸部１８には、その下端部を除くほぼ全周にわたって雄ねじ部が形成されており、この雄ねじ部に支持プレート１２の雌ねじ部１７が螺合される。軸部１８の上端部には、プラスドライバー等の工具を挿入可能な平面視十字形状の挿入溝部１９が形成されており、この挿入溝部１９に工具を係合させて軸心回りに回転させることでアジャスターボルト１１を回転させることができる。また、軸部１８の下端部には、フランジ部２１が一体に形成されている。
【００２９】
一方、支持プレート１２は、アジャスターボルト１１の回転動作に伴い上下移動可能に設けられ、これにより床パネル２の高さが調節可能に設けられて、この床パネル２の基礎床１からの高さを微調整することで所定の施工高さに調節することができる。この支持プレート１２に複数枚の床パネル２の端部が載置され、これら床パネル２どうしの間に、図１に示すように隙間２０を形成することにより、アジャスターボルト１１の先端部を隙間２０に配置し、前述した工具を隙間２０から挿入溝部１９に挿入できるように施工される。したがって、床パネル２の下地パネル２ａを敷設した後であっても、この下地パネル２ａの上に人が載ったまま、その隙間２０からアジャスターボルト１１を回転操作して上下調整が可能である。
【００３０】
台座１０は、支持脚３のアジャスターボルト１１の下端部を保持するために設けられ、図２以降に拡大して示したように、例えばポリプロピレン、ポリアセタール（商品名：ジュラコン等）、ナイロン、ＡＢＳ樹脂などの硬質樹脂により、台座本体３５と、該台座本体３５に取付けられるキャップ部材４０とから構成される。
台座本体３５は、図５〜図７に示すように、そのベース板部３７の中央部分に上方に突出する突出部３８が一体に形成されるとともに、その突出部３８の中央部に上方に開口する凹部３０が形成され、この凹部３０は、上方側に設けられる開口部３２の内径が、突出部３８の内部側に水平方向に広がるように設けられた偏平空間部３３の内径よりも小さく設けられていることにより、上下二段形状となっている（図７参照：開口部３２と偏平空間部３３との上下二段形状）。さらに、偏平空間部３３は、フランジ部２１の外径とほぼ同じかわずかに大きい円形、開口部３２は、軸部１８の基端部の外径とほぼ同じかわずかに大きい円形に設けられ、内部の偏平空間部３３にフランジ部２１が係合され、開口部３２に軸部１８の基端部が係合可能に設けられて、軸部１８が垂直に保持される。これにより、アジャスターボルト１１は、台座本体３５の凹部３０内に回転可能に支持され、小径の開口部３２を形成している天板部３６により上方への移動ができない状態に収容される。
【００３１】
また、凹部３０には、開口部３２及び偏平空間部３３を一側方（図６では手前方向）に開口し、開口部３２及び偏平空間部３３のそれぞれの半円形部分からその直径の幅で側方を開口している溝部３１が形成され、この溝部３１を介してフランジ部２１及び軸部１８が水平方向にスライド自在となっている。
また、この溝部３１の途中に、キャップ部材４０を着脱自在に嵌合する嵌合穴部４１が形成されている。この嵌合穴部４１は、平面視が楕円形状に形成され、溝部３１の途中を垂直方向に繰り抜くように、かつ凹部３０の開口部３２及び偏平空間部３３の両方に一部が重なって連続するように形成されている。
キャップ部材４０は、図８に示すように、例えば台座本体３５と同材料のポリプロピレン、ポリアセタール（商品名：ジュラコン等）、ナイロン、ＡＢＳ樹脂により平面視楕円形のブロック状に形成され、台座本体３５の嵌合穴部４１に着脱自在に嵌合される。
なお、台座本体３５の外形は、図に示した四角形状以外であってもよく、例えば六角形や八角形あるいは円形状にすることもでき、キャップ部材４０及び嵌合穴部４１も平面視楕円形状以外の四角形状、多角形状、円形状等にすることも可能である。
【００３２】
また、キャップ部材４０の側部には、台座本体３５の凹部３０の一部を構成するように円弧状の凹状部４５，４６が設けられている。この凹状部４５，４６は、台座本体３５の開口部３２と同じ曲率半径の小円弧凹状部４５と、偏平空間部３３と同じ曲率半径の大円弧凹状部４６の上下二段形状に形成されている。キャップ部材４０を台座本体３５の嵌合穴部４１に嵌合すると、嵌合穴部４１により欠けていた部分がキャップ部材４０により埋められ、台座本体３５の開口部３２及び偏平空間部３３がともに平面視円形に構成されて台座１０の凹部３０が形成され、台座本体３５の天板部３６とキャップ部材４０の天板部４７とが連続して内向きフランジ状に配置される。このようにキャップ部材４０を台座本体３５の上方から嵌め込むことで、凹部３０内に係合したフランジ部２１及び軸部１８の上方及び横方向へのスライドが拘束されて、アジャスターボルト１１が凹部３０内に軸部１８を中心とした回転可能でかつ抜け止めされた状態に保持される。
【００３３】
また、キャップ部材４０の底面側には、溝４３が設けられている。図２に示すように、キャップ部材４０を台座本体３５に装着したときには、この台座本体３５のベース板部３７とキャップ本体４０との間に、溝４３によりマイナスドライバー等の工具の先端部を挿入可能なスリット状の隙間が形成される。
なお、図１において、支持脚の間の基礎床１上に遮音性能を向上させるために遮音材５０を配設してもよい。遮音材５０は、グラスウール、ロックウール、不織布、発泡スチロール、ポリスチレンフォーム等から構成される。
【００３４】
以上のように構成された床下地用支持脚では、台座本体３５の溝部３１にアジャスターボルト１１のフランジ部２１及び軸部１８のスライドを拘束して保持するキャップ部材４０を着脱自在に設けているので、アジャスターボルト１１を台座本体３５の溝部３１から凹部３０に取り付けた後に、キャップ部材４０をこの台座本体３５に装着すれば、台座１０に対してアジャスターボルト１１を回転可能な状態で装着できる。この場合、フランジ部２１及び軸部１８を溝部３１からスライドにより凹部３０に装着しているため、フランジ部２１が凹部３０に装着可能であれば、ロングサイズボルトであっても容易に取り付け可能となる。
そして、このようにして取り付けた後は、アジャスターボルト１１は、その長さ方向及びこれと直交する方向への移動が拘束され、台座１０から抜けないように強固に保持される。
【００３５】
また、台座１０が硬質の合成樹脂により形成されているので、ゴム製台座と異なり、機械的強度に優れ、図９に示すように長いアジャスターボルト１１の場合でも、左右方向のぐらつきを防止し、堅固に支持することができる。
なお、キャップ部材４０の溝４３により、台座本体３５とキャップ部材４０との間にスリット状の隙間が形成されるので、この隙間に工具を挿入して台座本体３５からキャップ部材４０を簡単に取り外すことができる。したがって、一度組み込んだアジャスターボルト１１を取り外して、再装着することが可能であるとともに、二重床構造の高さに応じて所望の長さや種類のアジャスターボルト１１を台座本体３５に現場で組み込んで使用することができ、現場作業性が飛躍的に向上する。
アジャスターボルト１１は金属製であるが、台座本体３５及びキャップ部材４０が樹脂製であるため、二重床構造の施工後には、床鳴りなどの金属音が発生するおそれはない。
【００３６】
なお、図４に二点鎖線で示したように、台座本体３５の下面にポリウレタンやシリコン、ゴムなどの弾性材料からなるシート部材６５を貼り付けてもよい。このシート部材６５を貼り付けることにより遮音性を向上させることができる。この場合、シート部材６５は台座本体３５とは別部材であり、アジャスターボルト１１を支持し得る機械的強度は不要であるので、種々の材質のものを適用することができ、その選択の自由度が増大する。
また、前述したように、この台座１０が硬質の合成樹脂により形成されているので、アジャスターボルト１１のフランジ部２１の平面積よりも台座１０の面積を相当程度広くすることができ、その下面へのシート部材６５にも、タイプＡのデュロメーター硬度が６５度未満のゴムや発泡体を使用することが可能になる。
【００３７】
図１０〜図１３は、本発明の第２実施形態を示している。
図１〜図１２の第１実施形態では、台座１０を台座本体３５とキャップ部材４０との二部品によって構成し、キャップ部材４０が台座本体３５に嵌合することによりアジャスターボルト１１の横方向（水平方向）へのスライドを拘束する脱落防止手段が構成されるようにしたが、この図１０〜図１３の第２実施形態では、台座１００は一部品のみによって構成され、その台座１００にアジャスターボルト１１の脱落防止手段が形成されている。
この台座１００は、前述の第１実施形態と同様に、ポリプロピレン、ポリアセタール（商品名：ジュラコン等）、ナイロン、ＡＢＳ樹脂などの硬質樹脂により形成されている。
【００３８】
そして、その中央部分に上方に開口する凹部３０が形成され、この凹部３０は、上方側に設けられる開口部３２の内径が、内部側に水平方向に広がるように設けられた偏平空間部３３の内径よりも小さく設けられていることにより、上下二段形状となっている。さらに、偏平空間部３３は、フランジ部２１の外径とほぼ同じかわずかに大きい円形、開口部３２は、軸部１８の基端部の外径とほぼ同じかわずかに大きい円形に設けられ、内部の偏平空間部３３にフランジ部２１が係合され、開口部３２に軸部１８の基端部が係合可能に設けられて、軸部１８が垂直に保持される。これにより、アジャスターボルト１１は、台座１００の凹部３０内に回転可能に支持され、小径の開口部３２を形成している天板部３６により上方への移動ができない状態に収容される。
また、凹部３０には、開口部３２及び偏平空間部３３を一側方に開口し、開口部３２及び偏平空間部３３のそれぞれの半円形部分からその直径の幅で側方を開口している溝部３１が形成され、この溝部３１を介してフランジ部２１及び軸部１８が水平方向にスライド自在となっている。
【００３９】
そして、この台座１００のベース板部３７に、このベース板部３７の一部にコの字形のスリット１０１を厚さ方向に繰り抜くことにより、爪部１０２が形成されている。この爪部１０２は、溝部３１の長さ方向に沿う帯板状に形成され、ベース板部３７より薄肉に形成されることにより弾性変形可能とされており、その基端がベース板部３７に一体に連接されるとともに、先端が溝部３１の出口側に向けられている。そして、その先端部にベース板部３７の上面から突出するフック部１０３が一体に形成されている。図の二点鎖線は、凹部３０内にアジャスターボルト１１のフランジ部２１を収容したときのフランジ部２１の外形線を示しており、フック部１０３は、このフランジ部２１に係止される位置に設けられている。
【００４０】
したがって、この台座１００は、溝部３１に沿ってベース板部３７上でアジャスターボルト１１のフランジ部２１をスライドさせると、そのベース板部３７の上面より突出している爪部１０２のフック部１０３を図（ｂ）及び図（ｃ）に順に示すように押し下げながら爪部１０２を弾性変形させ、そのフック部１０３を乗り越えた時点で、爪部１０２が元の位置に復帰することにより、フック部１０３がフランジ部２１の後端に係止される。これにより、アジャスターボルト１１は溝部３１上でスライドすることが拘束され、凹部３０の偏平空間部３３内に収容された状態に保持される。したがって、本実施形態では、この爪部１０２がアジャスターボルト１１のスライドを拘束する脱落防止手段を構成している。
【００４１】
もちろん、凹部３０の形状は第１実施形態と同様であるので、偏平空間部３３内に収容されたアジャスターボルト１１のフランジ部２１は、天板部３６によって軸方向の抜け止めがなされ、その凹部３０内に軸を中心に回転自在に収容される。
この第２実施形態では、台座１００単体でアジャスターボルト１１のスライドの拘束と軸方向の抜け止めとを行うことができ、第１実施形態に比べて部品点数を少なくすることができる。
【００４２】
図１５は第１実施形態の台座本体あるいは第２実施形態の台座の変形例を示している。以下では、台座本体と称するが、第１実施形態と同様にキャップ部材４０と組み合わせてもよいし、第２実施形態の台座のように爪部１０２を有する構造としてもよい。
この台座本体６０では、下面側に位置決め用の垂れ壁６１が垂直に設けられ、この垂れ壁６１に囲まれる内側空間６２にシート部材６５が固着されたものである。この場合、垂れ壁６１は台座６０の下面側の全部を囲むように四方に垂直に形成されていてもよいが、台座６０の下面側の四辺のうちの三辺に形成するなど、周囲の少なくとも一部に垂直に形成されていてもよい。
【００４３】
シート部材６５は、タイプＡのデュロメーター硬度が６５度未満のゴムなどの弾性材料により、垂れ壁６１の高さより厚いシート状に形成され、台座６０下面に両面テープ等で接着される。このシート部材６５が設けられていることにより、クッション性が発揮されて床パネル２からの振動が吸収される。シート部材６５は、垂れ壁６１で囲まれることで側面がこの垂れ壁６１に当接し、横方向に位置決めされてずれが防止される。そのため、床パネル２を載置して荷重がかかった状態で横にずらしたとしてもシート部材６５が台座本体６０からずれたり、めくれて脱落することが防止され、現場での作業性も向上する。さらに、シート部材６５は、接着剤で台座６０に固着されていてもよく、よりずれにくくすることができる。
【００４４】
また、図１６は、台座本体のさらに他の変形例を示している。この台座本体７０は、下面に溝７１が形成されており、基礎床１上に設置する前又は後に、溝７１に接着剤を注入することにより、基礎床１上に強固に固定することができる。
図１７は、シート部材の他の例を示しており、このシート部材７５の下面には凹凸部７６が形成されている。このシート部材７５は凹凸部７６が形成された面を基礎床１上に配置することにより、さらに衝撃吸収性、遮音性を高めることができる。
【００４５】
図１８は、台座本体のさらなる変形例を示している。この台座本体８０においては、シート部材８１に複数のピン８２が立設されており、台座本体８０に形成した貫通孔８３にピン８２が挿通し、ピン８２の拡径した頭部８４によって抜け止めされることにより、シート部材８１が台座本体８０の垂れ壁６１の内側空間６２に固定される構造である。
【００４６】
なお、本発明は上記実施形態に限定されるものではなく、本発明の趣旨を逸脱しない範囲において種々の変更を加えることが可能である。
実施形態では集合住宅向け乾式遮音二重床用として施工した例を示したが、フリーアクセスフロア、ＯＡフロアなどのオフィス向けとすることも可能である。
また、前述の実施形態では、キャップ部材４０に溝４３を形成して、台座本体に組み込んだときに工具挿入用の隙間が形成されるようにしたが、その溝を台座本体に形成してもよい。あるいは、キャップ部材と台座本体との両方に形成して、キャップ部材を台座本体に組み込んだときに、両方の溝が合わさって隙間が形成される構成としてもよい。
【符号の説明】
【００４７】
１  基礎床
２  床パネル
１０、６０、１００  台座
１１  アジャスターボルト
１２  支持プレート
１７  雌ねじ部
１８  軸部
２１  フランジ部
３０  凹部
３１  溝部
３２  開口部
３３  偏平空間部
３５  台座本体
３６  天板部
３７  ベース板部
３８  突出部
４０  キャップ部材
４３  溝
６１  垂れ壁
６２  内側空間
６５  シート部材
７０  台座本体
７１  溝
７５  シート部材
７６  凹凸部
８０  台座本体
８１  シート部材
８２  ピン
８３  貫通孔
８４  頭部
１０２  爪部
１０３  フック部
【図１】
2015175218.tif 000003
【図２】
2015175218.tif 000004
【図３】
2015175218.tif 000005
【図４】
2015175218.tif 000006
【図５】
2015175218.tif 000007
【図６】
2015175218.tif 000008
【図７】
2015175218.tif 000009
【図８】
2015175218.tif 000010
【図９】
2015175218.tif 000011
【図１０】
2015175218.tif 000012
【図１１】
2015175218.tif 000013
【図１２】
2015175218.tif 000014
【図１３】
2015175218.tif 000015
【図１４】
2015175218.tif 000016
【図１５】
2015175218.tif 000017
【図１６】
2015175218.tif 000018
【図１７】
2015175218.tif 000019
【図１８】
2015175218.tif 000020